(57)【要約】  本発明は、複数のスイッチング素子（Ｔ１，Ｔ２，Ｔ３）の出力側が所定の少なくとも１つの共通の負荷（Ｒ＿Ｌ）に割当てられ、前記各スイッチング素子の出力側（ＯＵＴ１，ＯＵＴ２，ＯＵＴ３）から有効信号（Ｉ＿Ｌ１，Ｉ＿Ｌ２，Ｉ＿Ｌ３）が切換位置に応じて得られるようにそれぞれ構成されている回路装置の作動方法及び装置に関している。この場合１つまたは複数の検出ステップにおいて少なくとも１つの共通の負荷の駆動制御のスイッチオンされるスイッチング素子の少なくとも１つの選択が、前記各スイッチング素子に割当てられる有効信号（Ｉ＿Ｌ１，Ｉ＿Ｌ２，Ｉ＿Ｌ３）の典型的なセンサ信号が予め設定された値範囲（Ｉ＿Ｌ＿ＴＨ１，Ｉ＿Ｈ＿ＴＨ１）に存するように変更され、各センサ信号がその値範囲になるスイッチング素子の少なくとも１つの選択が求められて記憶される。
2011515935.tif 000002
【特許請求の範囲】
【請求項１】
複数のスイッチング素子（Ｔ１，Ｔ２，Ｔ３）を備えた回路装置の作動のための方法であって、
前記複数のスイッチング素子（Ｔ１，Ｔ２，Ｔ３）は、それらの出力側が所定の少なくとも１つの共通の負荷（Ｒ＿Ｌ）に割当てられ、かつ前記少なくとも１つの共通の負荷（Ｒ＿Ｌ）の各スイッチング素子（Ｔ１，Ｔ２，Ｔ３）の出力側（ＯＵＴ１，ＯＵＴ２，ＯＵＴ３）から、有効信号（Ｉ＿Ｌ１，Ｉ＿Ｌ２，Ｉ＿Ｌ３）が切換位置に応じて得られるようにそれぞれ構成されている、複数のスイッチング素子（Ｔ１，Ｔ２，Ｔ３）を備えた回路装置の作動のための方法において、
前記少なくとも１つの共通の負荷（Ｒ＿Ｌ）の駆動制御のためにスイッチオンされるスイッチング素子（Ｔ１，Ｔ２，Ｔ３）の少なくとも１つの選択を、前記各スイッチング素子（Ｔ１，Ｔ２，Ｔ３）に割当てられる前記各スイッチング素子（Ｔ１，Ｔ２，Ｔ３）の有効信号（Ｉ＿Ｌ１，Ｉ＿Ｌ２，Ｉ＿Ｌ３）の典型的なセンサ信号（Ｓ＿ＦＢ１，Ｓ＿ＦＢ２，Ｓ＿ＦＢ３）がその予め設定された値範囲（Ｉ＿Ｌ＿ＴＨ１，Ｉ＿Ｈ＿ＴＨ１）内に存在するようになるまで１つまたは複数の検出ステップにおいて変更し、
各センサ信号（Ｓ＿ＦＢ１，Ｓ＿ＦＢ２，Ｓ＿ＦＢ３）がその予め設定された値範囲（Ｉ＿Ｌ＿ＴＨ１，Ｉ＿Ｈ＿ＴＨ１）内に存在するように、スイッチオンされるスイッチング素子（Ｔ１，Ｔ２，Ｔ３）の少なくとも１つの選択を求めてかつ記憶するようにしたことを特徴とする方法。
【請求項２】
前記スイッチング素子（Ｔ１，Ｔ２，Ｔ３）の駆動制御のスタート時点（ｔ１）に関する所定の時間区分に割当てられる、スイッチオンされるスイッチング素子（Ｔ１，Ｔ２，Ｔ３）の少なくとも１つの選択が求められて記憶される、請求項１記載の方法。
【請求項３】
スイッチオンされるスイッチング素子（Ｔ１，Ｔ２，Ｔ３）の少なくとも１つの選択を次のようにして求める、すなわち、第１の検出ステップの期間中にまず全てのスイッチング素子（Ｔ１，Ｔ２，Ｔ３）をスイッチオンし、それぞれのセンサ信号（Ｓ＿ＦＢ１，Ｓ＿ＦＢ２，Ｓ＿ＦＢ３）をその予め設定された値範囲と比較し、前記予め設定された値範囲（Ｉ＿Ｌ＿ＴＨ１，Ｉ＿Ｈ＿ＴＨ１）を著しく下回るような場合には、少なくとも１つのさらなる検出ステップにおいて前記スイッチング素子（Ｔ１，Ｔ２，Ｔ３）のそれぞれのサブセットを、それぞれのセンサ信号（Ｓ＿ＦＢ１，Ｓ＿ＦＢ２，Ｓ＿ＦＢ３）がその予め設定された値範囲（Ｉ＿Ｌ＿ＴＨ１，Ｉ＿Ｈ＿ＴＨ１）に存するようになるまでスイッチオフするようにして求める、請求項１または２記載の方法。
【請求項４】
スイッチオンされるスイッチング素子（Ｔ１，Ｔ２，Ｔ３）の少なくとも１つの選択を次のようにして設定する、すなわち、第１の検出ステップの期間中にまず１つのスイッチング素子をスイッチオンし、それぞれのセンサ信号（Ｓ＿ＦＢ１，Ｓ＿ＦＢ２，Ｓ＿ＦＢ３）をその予め設定された値範囲（Ｉ＿Ｌ＿ＴＨ１，Ｉ＿Ｈ＿ＴＨ１）と比較し、前記予め設定された値範囲（Ｉ＿Ｌ＿ＴＨ１，Ｉ＿Ｈ＿ＴＨ１）を著しく上回るような場合には、少なくとも１つのさらなる検出ステップにおいて前記スイッチング素子（Ｔ１，Ｔ２，Ｔ３）のそれぞれのサブセットを、それぞれのセンサ信号（Ｓ＿ＦＢ１，Ｓ＿ＦＢ２，Ｓ＿ＦＢ３）がその予め設定された値範囲（Ｉ＿Ｌ＿ＴＨ１，Ｉ＿Ｈ＿ＴＨ１）に存するようになるまでスイッチオンするようにして設定する、請求項１または２記載の方法。
【請求項５】
スイッチオンされるスイッチング素子（Ｔ１，Ｔ２，Ｔ３）のそれぞれの選択に割当てられかつ少なくとも１つの所定の共通の負荷を表す各センサ信号（Ｓ＿ＦＢ１，Ｓ＿ＦＢ２，Ｓ＿ＦＢ３）の経過が求められ、かつ記憶される、請求項１から４いずれか１項記載の方法。
【請求項６】
センサ信号（Ｓ＿ＦＢ１，Ｓ＿ＦＢ２，Ｓ＿ＦＢ３）の目下求められた経過と、センサ信号（Ｓ＿ＦＢ１，Ｓ＿ＦＢ２，Ｓ＿ＦＢ３）の記憶されている経過が比較され、この場合記憶されているセンサ信号（（Ｓ＿ＦＢ１，Ｓ＿ＦＢ２，Ｓ＿ＦＢ３）の経過は、少なくとも１つの所定の共通の負荷（Ｒ＿Ｌ）を表し、
前記比較に依存して少なくとも１つの所定の共通の負荷が識別される、請求項１から５いずれか１項記載の方法。
【請求項７】
複数のスイッチング素子（Ｔ１，Ｔ２，Ｔ３）を備えた回路装置の作動のための装置であって、
前記複数のスイッチング素子（Ｔ１，Ｔ２，Ｔ３）は、それらの出力側が所定の少なくとも１つの共通の負荷（Ｒ＿Ｌ）に割当てられ、かつ前記少なくとも１つの共通の負荷（Ｒ＿Ｌ）の各スイッチング素子（Ｔ１，Ｔ２，Ｔ３）の出力側（ＯＵＴ１，ＯＵＴ２，ＯＵＴ３）から、有効信号（Ｉ＿Ｌ１，Ｉ＿Ｌ２，Ｉ＿Ｌ３）が切換位置に応じて得られるようにそれぞれ構成されている、複数のスイッチング素子（Ｔ１，Ｔ２，Ｔ３）を備えた回路装置の作動のための装置において、
１つまたは複数の検出ステップにおいて前記少なくとも１つの共通の負荷（Ｒ＿Ｌ）の駆動制御のためにスイッチオンされるスイッチング素子（Ｔ１，Ｔ２，Ｔ３）の少なくとも１つの選択が、前記各スイッチング素子（Ｔ１，Ｔ２，Ｔ３）に割当てられる前記各スイッチング素子（Ｔ１，Ｔ２，Ｔ３）の有効信号（Ｉ＿Ｌ１，Ｉ＿Ｌ２，Ｉ＿Ｌ３）の典型的なセンサ信号（Ｓ＿ＦＢ１，Ｓ＿ＦＢ２，Ｓ＿ＦＢ３）がその予め設定された値範囲（Ｉ＿Ｌ＿ＴＨ１，Ｉ＿Ｈ＿ＴＨ１）内に存在するようになるまで変更され、
各センサ信号（Ｓ＿ＦＢ１，Ｓ＿ＦＢ２，Ｓ＿ＦＢ３）がその予め設定された値範囲（Ｉ＿Ｌ＿ＴＨ１，Ｉ＿Ｈ＿ＴＨ１）に存するように、スイッチオンされるスイッチング素子（Ｔ１，Ｔ２，Ｔ３）の少なくとも１つの選択が求められ、かつ記憶されるように構成されていることを特徴とする装置。
【請求項８】
複数のスイッチング素子（Ｔ１，Ｔ２，Ｔ３）を備えた回路装置の作動のための方法であって、
前記複数のスイッチング素子（Ｔ１，Ｔ２，Ｔ３）は、それらの出力側が所定の少なくとも１つの共通の負荷（Ｒ＿Ｌ）に割当てられ、かつ前記少なくとも１つの共通の負荷（Ｒ＿Ｌ）の各スイッチング素子（Ｔ１，Ｔ２，Ｔ３）の出力側（ＯＵＴ１，ＯＵＴ２，ＯＵＴ３）から、有効信号（Ｉ＿Ｌ１，Ｉ＿Ｌ２，Ｉ＿Ｌ３）が切換位置に応じて得られるようにそれぞれ構成されている、複数のスイッチング素子（Ｔ１，Ｔ２，Ｔ３）を備えた回路装置の作動のための方法において、
所定の少なくとも１つの共通の負荷（Ｒ＿Ｌ）の所定の第１の持続時間の駆動制御の間、全てのスイッチング素子（Ｔ１，Ｔ２，Ｔ３）がスイッチオンされ、
所定の第２の持続時間の間、前記スイッチング素子（Ｔ１，Ｔ２，Ｔ３）は、スイッチオンされるスイッチング素子（Ｔ１，Ｔ２，Ｔ３）の所定の共通の負荷に割当てられる少なくとも１つの所定の選択を用いて駆動制御され、その際、それぞれのセンサ信号（Ｓ＿ＦＢ１，Ｓ＿ＦＢ２，Ｓ＿ＦＢ３）はその予め設定された値範囲（Ｉ＿Ｌ＿ＴＨ１，Ｉ＿Ｈ＿ＴＨ１）に存するようにしたことを特徴とする方法。
【請求項９】
全てのスイッチング素子（Ｔ１，Ｔ２，Ｔ３）がスイッチオンされている駆動制御の間は、それぞれ所定の共通の負荷（Ｒ＿Ｌ）が識別され、第２の持続時間の間は、前記スイッチング素子（Ｔ１，Ｔ２，Ｔ３）は、所定の共通の負荷（Ｒ＿Ｌ）に割当てられるスイッチオンされるスイッチング素子（Ｔ１，Ｔ２，Ｔ３）の少なくとも１つの所定の選択を用いて駆動制御される、請求項８記載の方法。
【請求項１０】
複数のスイッチング素子（Ｔ１，Ｔ２，Ｔ３）を備えた回路装置の作動のための装置であって、
前記複数のスイッチング素子（Ｔ１，Ｔ２，Ｔ３）は、それらの出力側が所定の少なくとも１つの共通の負荷（Ｒ＿Ｌ）に割当てられ、かつ前記少なくとも１つの共通の負荷（Ｒ＿Ｌ）の各スイッチング素子（Ｔ１，Ｔ２，Ｔ３）の出力側（ＯＵＴ１，ＯＵＴ２，ＯＵＴ３）から、有効信号（Ｉ＿Ｌ１，Ｉ＿Ｌ２，Ｉ＿Ｌ３）が切換位置に応じて得られるようにそれぞれ構成されている、複数のスイッチング素子（Ｔ１，Ｔ２，Ｔ３）を備えた回路装置の作動のための装置において、
所定の少なくとも１つの共通の負荷（Ｒ＿Ｌ）の所定の第１の持続時間の駆動制御の間は、全てのスイッチング素子（Ｔ１，Ｔ２，Ｔ３）がスイッチオンされ、
所定の第２の持続時間の間は、前記スイッチング素子（Ｔ１，Ｔ２，Ｔ３）が、スイッチオンされるスイッチング素子（Ｔ１，Ｔ２，Ｔ３）の少なくとも１つの所定の選択を用いて駆動制御され、その際、それぞれのセンサ信号（Ｓ＿ＦＢ１，Ｓ＿ＦＢ２，Ｓ＿ＦＢ３）はその予め設定された値範囲（Ｉ＿Ｌ＿ＴＨ１，Ｉ＿Ｈ＿ＴＨ１）に存するように構成されていることを特徴とする装置。
【発明の詳細な説明】
【技術分野】
【０００１】
本発明は、出力側が所定の少なくとも１つの共通の負荷に割当てられかつ少なくとも１つの共通の負荷のスイッチング素子の出力側から有効信号が切換位置に応じて得られるようにそれぞれ構成されている、複数のスイッチング素子を備えた回路装置の作動のための方法及び装置に関している。
【背景技術】
【０００２】
この種のスイッチング素子としては例えばスマートスイッチング素子が挙げられる。このスマートスイッチング素子は、少なくとも１つのスイッチと、該少なくとも１つのスイッチに対応付けられた監視ユニットとを有する短絡保護されたスイッチング素子である。前記監視ユニットは、熱監視を介して過電流が通流した際のスイッチの遮断を行うものである。このスマートスイッチング素子は、例えば少なくとも１つのセンシング出力側を含んでおり、このセンシング出力側を用いて、例えばセンサ電流として形成されるセンサ信号が機能し得る。このセンサ信号とは、実質的にはそれに係わるスイッチに流れた電流を表すものである。センサ信号は、有利にはそれを表す、スイッチに流れた負荷電流よりも、所定の係数分だけ小さい。（例えば１／１０００）。
【０００３】
本発明が基礎としている課題は、確実でかつ信頼性の高い、回路装置の作動方法及び作動装置を提供することにある。
【０００４】
前記課題は独立請求項の特徴部分に記載された本発明によって解決される。また本発明の別の有利な構成例は従属請求項にも記載されている。
【０００５】
本発明は、出力側が所定の少なくとも１つの共通の負荷に割当てられている、複数のスイッチング素子を備えた回路装置の作動方法とこれに対応する装置において際だっている。この複数のスイッチング素子は、それぞれ次のように構成されている。すなわち、少なくとも１つの共通の負荷のスイッチング素子の出力側から有効信号が切換位置に応じて得られるように構成されている。１つ又は複数の検出ステップにおいて、少なくとも１つの共通の負荷の駆動制御のためのスイッチオンされたスイッチング素子の少なくとも１つの選択が、前記各スイッチング素子に対応付けられる前記各スイッチング素子の有効信号の典型的なセンサ信号がその予め設定された値範囲に存するようになるまで変更される。この場合はそれぞれのセンサ信号がその予め設定された値範囲になる、スイッチオンされるスイッチング素子の少なくとも１つの選択が求められて記憶される。
【０００６】
スイッチオンされるスイッチング素子の選択をそのつど求めることにより、非常に高い信頼性のもとでそれぞれのセンサ信号をその予め設定された値範囲に設定できるようになる。これにより、それぞれのセンサ信号の検出が非常に高い信頼性のもとで可能となる。それに伴ってそれぞれのセンサ信号の値とそれぞれの有効信号の値も非常に正確に求めることが可能になる。
【０００７】
スイッチオンされるスイッチング素子のそのつどの選択を求めるためには、１つまたは複数の検出ないし検出ステップが必要とされる。例えば各スイッチング素子のスイッチオンの期間において、有効信号の経過が所定の定常状態の値にまだ達していないときには、スイッチオンされるスイッチング素子の選択が２つ以上求められて記憶されてもよい。その際にはそれぞれの選択が、有利にはそれぞれのセンサ信号がその予め設定された値範囲にある所定の期間ないし所定の時間区分に割当てられる。
【０００８】
有利には、スイッチオンされるスイッチング素子の少なくとも１つの選択が、所定の期間の間求められる。有利にはこの所定の期間は、それぞれの有効信号がまだ所定の定常状態の値に達していないような経過も含む。この期間は、例えば予め設定されてもよいし、次のことによって求めてもよい。すなわちスイッチオンされるスイッチング素子の少なくとも１つの選択を、有効信号の値がもはや変更されなくなるまで行うことによって求めてもよい。
【０００９】
予め定められる前記予め設定された値範囲は例えば測定領域であってもよい。それにより、有効信号を表すセンサ信号は、その値が所定の値範囲内にある限り、非常に正確にかつ高い信頼性のもとで求めることができる。これにより、エラーの生じた共通の負荷を特に高い信頼性のもとで求めることが可能になり、さらに回路装置の損傷を非常に確実に回避することができるようになる。
【００１０】
本発明の有利な構成例によれば、スイッチング素子の駆動制御のスタート時点に関する所定の時間区分に割当てられる、スイッチオンされるスイッチング素子の少なくとも１つの選択が求められて記憶される。
【００１１】
所定の共通の負荷のスイッチオン後は、センサ信号のみならず有効信号にも典型的な信号経過の変化が割当てられる。その際にはスイッチオンされるスイッチング素子の１つまたは複数の選択の可能性が次のように求められる。すなわちそれぞれのセンサ信号がその割当てられた値範囲内にあるように求められる。スイッチオンされるスイッチング素子のあらゆる選択の可能性は、有利にはスタート時点に関する所定の時間区分に割当てられる。それぞれの時間区分の範囲内では、センサ信号がその予め設定された値範囲内に存する。それにより、このような共通の負荷の駆動制御は、特にその確実性と信頼性の高さを保証し、さらにセンサ信号とそれを表す有効信号の正確な算出ないし検出も保証する。
【００１２】
本発明の別の有利な実施例によれば、スイッチオンされるスイッチング素子の少なくとも１つの選択が次のようにして求められる。すなわち、第１の検出ステップの期間中にまず全てのスイッチング素子をスイッチオンし、それぞれのセンサ信号をその予め設定された値範囲と比較し、前記予め設定された値範囲を著しく下回るような場合には、少なくとも１つのさらなる検出ステップにおいて前記スイッチング素子のそれぞれのサブセットを、それぞれのセンサ信号がその予め設定された値範囲に存するようになるまで遮断する。
【００１３】
このことは、スイッチオンされるスイッチング素子の少なくとも１つの選択が特に容易にかつ高い信頼性で実施され得る利点となる。
【００１４】
本発明のさらに別の有利な実施例によれば、スイッチオンされるスイッチング素子の少なくとも１つの選択が次のようにして設定される。すなわち、第１の検出ステップの期間中にまず１つのスイッチング素子をスイッチオンし、それぞれのセンサ信号をその予め設定された値範囲と比較し、前記予め設定された値範囲を著しく上回るような場合には、少なくとも１つのさらなる検出ステップにおいて前記スイッチング素子のそれぞれのサブセットを、それぞれのセンサ信号がその予め設定された値範囲に存するようになるまでスイッチオンする。
【００１５】
このことも、スイッチオンされるスイッチング素子の少なくとも１つの選択が特に容易にかつ高い信頼性で実施され得る利点につながる。
【００１６】
さらに別の有利な実施例によれば、スイッチオンされるスイッチング素子のそれぞれの選択に割当てられかつ少なくとも１つの所定の共通の負荷を表すセンサ信号の経過が求められて記憶される。
【００１７】
スイッチオンされるスイッチング素子の少なくとも１つの選択の他にも、共通の負荷を表すセンサ信号の経過を求めて記憶することが可能である。この少なくとも１つの共通の負荷を表す記憶されたセンサ信号の経過は、例えば駆動制御のスタート時点に関する時間区分に割当てられる。共通の負荷が動作している場合には、センサ信号の経過を求めることによって当該共通の負荷の識別が非常に簡単かつ高い信頼性のもとで実施できる。少なくとも１つの所定の共通の負荷が識別された後では、スイッチング素子が、記憶されているセンサ信号の経過に割当てられる所定の共通の負荷を表すスイッチオンされたスイッチング素子の少なくとも１つの選択に従って駆動制御される。
【００１８】
さらに別の有利な実施例によれば、センサ信号の目下の求められた経過が、センサ信号の少なくとも１つの記憶されている経過と比較され、この場合センサ信号の少なくとも１つの記憶されている経過は少なくとも１つの所定の共通の負荷を表すものである。前記比較に依存して少なくとも１つの所定の共通の負荷が識別される。
【００１９】
センサ信号の目下の求められた経過と、センサ信号の少なくとも１つの記憶されている経過との比較を用いて特に容易にかつ高い信頼性のもとで、少なくとも１つの所定の共通の負荷が識別される。少なくとも１つの共通の負荷の識別後は、当該負荷にスイッチオンされたスイッチング素子の少なくとも１つの選択が割り当てられる。これも記憶されているセンサ信号の経過に割当てられる。それにより、少なくとも１つの共通の負荷の信頼性の高い確実な作動が保証される。さらにエラーのある共通の負荷が迅速かつ確実に検出され、回路装置の損傷が高い信頼性のもとで回避される。
【００２０】
さらに本発明は、出力側が所定の少なくとも１つの共通の負荷に割当てられている、複数のスイッチング素子を備えた回路装置の作動方法とこれに対応する装置において際だっている。前記複数のスイッチング素子は、それらの出力側が所定の少なくとも１つの共通の負荷に割当てられ、かつ前記少なくとも１つの共通の負荷の各スイッチング素子の出力側から、有効信号が切換位置に応じて得られるようにそれぞれ構成されている。所定の少なくとも１つの共通の負荷の所定の第１の持続時間の駆動制御の間は、全てのスイッチング素子がスイッチオンされ、所定の第２の持続時間の間は、前記スイッチング素子が、所定の共通の負荷に割当てられるスイッチオンされるスイッチング素子の少なくとも１つの所定の選択を用いて駆動制御され、その際それぞれのセンサ信号はその予め設定された予め設定された値範囲に存在する。
【００２１】
第１の持続時間に割当てられるスイッチング素子の駆動制御は、共通の負荷の特に損失の少ない作動を可能にする。この駆動制御の間、それぞれの有効信号を表すセンサ信号はその予め設定された値範囲内には存在しない。それに対して第２の持続時間に割当てられるスイッチング素子の駆動制御は、少なくとも１つの共通の負荷の非常に確実でかつ信頼性の高い動作を可能にする。この駆動制御の間はそれぞれの有効信号を表すセンサ信号は、その予め設定された値範囲内に存在するため、支障のある共通の負荷が高い信頼性のもとで確実に求められ、回路装置の損傷が確実に回避される。
【００２２】
本発明の有利な実施例によれば、それぞれ全てのスイッチング素子がスイッチオンされている駆動制御の期間中に所定の共通の負荷が識別される。第２の持続時間の間は、スイッチング素子は、所定の少なくとも１つの共通の負荷に割当てられるスイッチオンされるスイッチング素子の所定の選択を用いて駆動制御される。
【００２３】
このことは、所定の少なくとも１つの負荷に割当てられるスイッチオンされるスイッチング素子の所定の選択を用いることで、少なくとも１つの共通の負荷の特に確実で信頼性の高い作動が保証される利点につながる。
【００２４】
有利には、少なくとも１つの所定の共通の負荷が周期的に交互に駆動制御される。それにより、少なくとも１つの共通の負荷の特にロスの少ない動作が保証されると同時に確実な作動も保証される。このことは、エラーのない共通の負荷が高い信頼性のもとで求められると同時に回路装置のロスの少ない作動も保証される利点につながる。
【００２５】
本発明の有利な実施例は以下の明細書で図面に基づいて詳細に説明される。
【図面の簡単な説明】
【００２６】
【図１】複数のスイッチング素子を備えた回路装置を表した図
【図２】所定の第１の共通の負荷のケースにおけるセンサ信号の第１の時系列描写図
【図３】所定の第１の共通の負荷のケースにおけるセンサ信号の第２の時系列描写図
【図４】所定の第１の共通の負荷のケースにおけるセンサ信号の第３の時系列描写図
【図５】所定の第２の共通の負荷のケースにおけるセンサ信号の第１の時系列描写図
【図６】所定の第２の共通の負荷のケースにおけるセンサ信号の第２の時系列描写図
【図７】所定の第２の共通の負荷のケースにおけるセンサ信号の第３の時系列描写図
【図８】所定の第２の共通の負荷のケースにおけるセンサ信号の第４の時系列描写図
【実施例】
【００２７】
次に本発明を図面に基づき以下の明細書で詳細に説明する。なお図面中、構造若しくは機能の同じ構成要素には同じ参照符号が付されている。
【００２８】
図１には、第１のスイッチング素子Ｔ１と、第２のスイッチング素子Ｔ２と、第３のスイッチング素子Ｔ３を備えた回路装置が描写されている。この第１、第２及び第３のスイッチング素子Ｔ１，Ｔ２，Ｔ３は、例えばスマートスイッチング素子として構成され、それぞれ１つの監視ユニットとスイッチを含んでいる。前記監視ユニットのそれぞれは例えば熱的監視を実施するように構成されていてもよい。前記スイッチング素子Ｔ１，Ｔ２，Ｔ３には、例えば自動車の搭載電源網の供給電圧で形成される入力信号Ｓ＿Ｖが供給される。各スイッチング素子に割当てられているスイッチはそれぞれ例えば電界効果トランジスタで構成され、有利には入力信号Ｓ＿Ｖ用の端子と、各スイッチング素子に割当てられている負荷出力側との間に配置される。しかしながら基本的にはこれらのスイッチング素子の構成には、当業者に周知の別の実施形態も考察され得る。
【００２９】
前記スイッチング素子は例えば別々に構成されてもよいし、１つの共通の回路ユニット内に統合されていてもよい。
【００３０】
さらに図１中には処理装置ＥＵ（プロセッシングユニット）が示されている。この処理装置ＥＵは、当該回路装置の作動方法を実行するために構成されている。前記処理装置ＥＵは、第１の入出力側ＩＯ１と、第２の入出力側ＩＯ２と、第３の入出力側ＩＯ３を含んでいる。第１の入出力側ＩＯ１には、第１の制御信号Ｓ＿ＩＮ１が出力側に割り当てられている。第２の入出力側ＩＯ２には、第２の制御信号Ｓ＿ＩＮ２が出力側に割り当てられている。第３の入出力側ＩＯ３には、第３の制御信号Ｓ＿ＩＮ３が出力側に割り当てられている。前記第１の制御信号Ｓ＿ＩＮ１は、第１のスイッチング素子Ｔ１入力側の第１の切換入力側ＩＮ１に割り当てられている。前記第２の制御信号Ｓ＿ＩＮ２は、第２のスイッチング素子Ｔ２入力側の第２の切換入力側ＩＮ２に割り当てられている。前記第３の制御信号Ｓ＿ＩＮ３は、第３のスイッチング素子Ｔ３入力側の第３の切換入力側ＩＮ３に割り当てられている。処理装置ＥＵの前記第１、第２、及び第３の入出力側ＩＯ１，ＩＯ２，ＩＯ３は、それらがアウトプットモデルとして構成されている場合には、それぞれ例えばハイレベル若しくはローレベルの状態を有し、具体的には例えばハイレベルが３．３Ｖ、ローレベルは０Ｖであってもよい。これらのレベルは処理装置ＥＵによって相互に依存することなく予め設定可能である。前記処理装置ＥＵは、第１の制御信号Ｓ＿ＩＮ１を用いて第１のスイッチング素子Ｔ１を過負荷なしのもとで任意にスイッチオン／オフできる。また前記処理装置ＥＵは、第２の制御信号Ｓ＿ＩＮ２を用いて第１のスイッチング素子Ｔ２を過負荷なしのもとで任意にスイッチオン／オフできる。さらに前記処理装置ＥＵは、第３の制御信号Ｓ＿ＩＮ３を用いて第３のスイッチング素子Ｔ３を過負荷なしのもとで任意にスイッチオン／オフできる。これにより前記第１、第２、第３のスイッチング素子Ｔ１，Ｔ２，Ｔ３は、相互に依存することなく、処理装置ＥＵを用いて駆動制御され得る。
【００３１】
処理装置ＥＵは、さらにその入力側において第１のアナログ／デジタル変換器入力側ＡＤ１に第１のセンサ信号Ｓ＿ＦＢ１を割り当てられている。この第１のセンサ信号Ｓ＿ＦＢ１は、第１のタッピング箇所ＡＰ１から取り出されたものであり、この第１のタッピング箇所ＡＰ１は、第１のスイッチング素子Ｔ１の第１のセンシング出力側Ｉ＿Ｓ１と、第１のシャント抵抗Ｒ＿Ｓ１の前記第１のスイッチング素子Ｔ１側端子との間に設けられている。第１のセンサ信号Ｓ＿ＦＢ１は、ユーザー信号ないし有効信号として形成された第１の負荷電流Ｉ＿Ｌ１を表している。第１のセンサ信号Ｓ＿ＦＢ１に類似して、第２のセンサ信号Ｓ＿ＦＢ２は、第２のタッピング箇所ＡＰ２から取り出される。また第３のセンサ信号Ｓ＿ＦＢ３は、第３のタッピング箇所ＡＰ３から取り出される。前記第２のタッピング箇所ＡＰ２は、第２のスイッチング素子Ｔ２の第２のセンシング出力側Ｉ＿Ｓ２と、第２のシャント抵抗Ｒ＿Ｓ２の第２のスイッチング素子Ｔ２側端子との間に設けられている。前記第３のタッピング箇所ＡＰ３は、第３のスイッチング素子Ｔ３の第３のセンシング出力側Ｉ＿Ｓ３と、第３のシャント抵抗Ｒ＿Ｓ３の第３のスイッチング素子Ｔ３側端子との間に設けられている。第２のセンサ信号Ｓ＿ＦＢ２ないし第３のセンサ信号Ｓ＿ＦＢ３は、処理装置ＥＵの第２のアナログ／デジタル変換器入力側ＡＤ２ないし第３のアナログ／デジタル変換器入力側ＡＤ３に割当てられている。これにより第２のセンサ信号Ｓ＿ＦＢ２ないし第３のセンサ信号Ｓ＿ＦＢ３は、有効信号として形成される第２の負荷電流Ｉ＿Ｌ２ないし第３の負荷電流Ｉ＿Ｌ３を表す。
【００３２】
前記第１、第２、第３のアナログ／デジタル変換器入力側ＡＤ１、ＡＤ２、ＡＤ３は、有利には処理装置ＥＵのアナログ／デジタル変換器に対応付けられている。この処理装置ＥＵのアナログ／デジタル変換器を用いることによって、複数のアナログ信号の値、例えば第１、第２、第３のセンサ信号Ｓ＿ＦＢ１，Ｓ＿ＦＢ２，Ｓ＿ＦＢ３がデジタル値に変換され、それによって、これらの信号値が処理装置ＥＵ、例えばマイクロコントローラとデジタルプロセッシングユニットで構成された処理装置ＥＵによって後続処理され得るようになる。しかしながら前記第１、第２、第３のアナログ／デジタル変換器入力側ＡＤ１，ＡＤ２，ＡＤ３は、基本的には処理装置ＥＵの別々のアナログ／デジタル変換器に割り当てられていてもよい。
【００３３】
前述のような３つのアナログ／デジタル変換器入力側の構成の他に、基本的には、第１、第２、第３のセンサ信号Ｓ＿ＦＢ１，Ｓ＿Ｂ２，Ｓ＿Ｂ３が１つの共通のマルチプレクサの入力側に供給されるものであってもよい。その場合はこのマルチプレクサの出力側に、アナログ／デジタル変換器の入力側が対応付けられる。さらにこのマルチプレクサ入力側には、処理装置ＥＵを駆動制御するための２つの駆動制御信号が供給される。処理装置ＥＵの予め設定される駆動制御機能に依存して、当該の駆動制御に割当てられるセンサ信号がマルチプレクサを用いて選択され、アナログ／デジタル変換器を用いて求められる。この装置の利点は、処理装置ＥＵに１つのアナログ／デジタル変換器入力側しか必要とされない点である。なぜならマルチプレクサを用いることで、多数のセンサ信号が１つのアナログ／デジタル変換器入力側に供給されるだけでよいからである。
【００３４】
第１のシャント抵抗Ｒ＿Ｓ１の第１のスイッチング素子Ｔ１とは反対側の端子には、基準電位ＧＮＤが割り当てられている。さらに第２のシャント抵抗Ｒ＿Ｓ２の第２のスイッチング素子Ｔ２とは反対側の端子にも基準電位ＧＮＤが割り当てられている。さらにまた第３のシャント抵抗Ｒ＿Ｓ３の第３のスイッチング素子Ｔ３とは反対側の端子にも基準電位ＧＮＤが割り当てられている。この基準電位ＧＮＤは例えば自動車のボディアースで形成されていてもよい。
【００３５】
基本的には前記処理装置は、３つよりもさらに多い入出力側と３つよりも多いアナログ／デジタル変換器入力側を含んでいてもよい。それによって当該装置は３つよりも多いスイッチング素子の駆動制御が可能になる。有利には処理装置は８つまでのスイッチング素子を含み得る。これらのスイッチング素子は当該処理装置ＥＵによって相互に依存することなく駆動制御され、少なくとも１つの所定の共通の負荷Ｒ＿Ｌが割り当てられる。基本的には多かれ少なかれ複数のスイッチング素子が駆動制御可能である。
【００３６】
前記第１、第２、第３のスイッチング素子Ｔ１，Ｔ２，Ｔ３の出力側は、第４のタッピング箇所ＡＰ４における所定の少なくとも１つの共通の負荷Ｒ＿Ｌの第１の端子に接続されている。この場合第１のスイッチング素子Ｔ１は第１の負荷出力側ＯＵＴ１を介して、第２のスイッチング素子Ｔ２は第２の負荷出力側ＯＵＴ２を介して、第３のスイッチング素子Ｔ３は第３の負荷出力側ＯＵＴ３を介して前記共通の負荷Ｒ＿Ｌの第１の端子に接続される。
【００３７】
前記共通の負荷Ｒ＿Ｌの第２の端子は、基準電位ＧＮＤに接続されている。
【００３８】
それぞれのスイッチング素子のスイッチがスイッチオンされた場合には、入力信号Ｖ＿ＩＮの接続側とそれぞれの負荷出力側との間の電気的な結合が有利には低抵抗に切り替わる。それぞれのスイッチング素子のスイッチがスイッチオフされた場合には、入力信号Ｖ＿ＩＮ側とそれぞれの負荷出力側の電気的な結合が高抵抗に切り替わる。
【００３９】
前述の所定の共通の負荷Ｒ＿Ｌは、例えば自動車の電球であってもよい。この電球は例えば自動車のヘッドランプの照明手段として構成されていてもよいし、あるいは自動車の室内照明具の照明手段として構成されていてもよい。基本的にはこの共通の負荷は、１つ以上の負荷、例えば有利には電気的に並列に接続された複数の電球で表されてもよい。共通の負荷Ｒ＿Ｌの作動中は、この負荷が共通の負荷電流Ｉ＿Ｌを供給し、この負荷電流は第１及び／又は第２及び／又は第３のスイッチング素子Ｔ１及び／又はＴ２及び／又はＴ３を介して供給される。第１のスイッチング素子Ｔ１がスイッチオンされた場合には、少なくとも１つの共通の負荷Ｒ＿Ｌの入力側に第１の負荷電流Ｉ＿Ｌ１が供給される。第２のスイッチング素子Ｔ２がスイッチオンされた場合には、少なくとも１つの共通の負荷Ｒ＿Ｌの入力側に第２の負荷電流Ｉ＿Ｌ２が供給される。第３のスイッチング素子Ｔ３がスイッチオンされた場合には、少なくとも１つの共通の負荷Ｒ＿Ｌの入力側に第３の負荷電流Ｉ＿Ｌ３が供給される。第４のタッピング箇所ＡＰ４では、共通の負荷Ｉ＿Ｌに対するこれらの第１、第２、及び第３の負荷電流Ｉ＿Ｌ１，Ｉ＿Ｌ２，Ｉ＿Ｌ３が加算される。
【００４０】
所定の共通の負荷Ｒ＿Ｌの作動に対しては、スイッチング素子Ｔ１，Ｔ２，Ｔ３を用いた様々な駆動制御の組み合わせが可能である。
【００４１】
例えば第１の駆動制御組み合わせに対して、スイッチオンされた１つのスイッチング素子と、スイッチオフされた２つのスイッチング素子が割り当てられてもよい。それにより例えばスイッチオンされた第１のスイッチング素子Ｔ１と、スイッチオフされた第２のスイッチング素子Ｔ２と、スイッチオフされた第３のスイッチング素子Ｔ３が組み合わされる。この場合は共通の負荷電流Ｉ＿Ｌには実質的に、スイッチオンされたスイッチング素子の負荷電流のみが割り当てられる。それにより例えば第１のスイッチング素子Ｔ１の第１の負荷電流Ｉ＿Ｌ１のみが割当てられる。この第１の駆動制御組み合わせでは、スイッチオンされたスイッチング素子の負荷電流は共通の負荷電流Ｉ＿Ｌと実質的に同一に構成される。この負荷電流を表すスイッチオンされたスイッチング素子のセンサ信号の値は、それと共に特に高く形成され、実質的には共通の負荷電流Ｉ＿Ｌ１の値と同一になる。
【００４２】
第２の駆動制御組み合わせとして、例えばスイッチオンされた２つのスイッチング素子とスイッチオフされた１つのスイッチング素子が割り当てられる。それにより例えばスイッチオンされた第１及び第２のスイッチング素子Ｔ１、Ｔ２と、スイッチオフされた第３のスイッチング素子Ｔ３が組み合わされる。この場合は共通の負荷電流Ｉ＿Ｌにスイッチオンされた２つのスイッチング素子の負荷電流が割り当てられる。つまり第１のスイッチング素子Ｔ１の第１の負荷電流Ｉ＿Ｌ１と第２のスイッチング素子Ｔ２の第２の負荷電流Ｉ＿Ｌ２である。この第２の駆動制御組み合わせでは、それぞれスイッチオンされたスイッチング素子の負荷電流の値が有利には、第１の駆動制御組み合わせの際の負荷電流の値よりも低く形成される。
【００４３】
第３の駆動制御組み合わせとして、例えば３つのスイッチオンされたスイッチング素子が割り当てられる。それにより例えばスイッチオンされた第１、第２、及び第３のスイッチング素子Ｔ１，Ｔ２，Ｔ３が用いられる。この場合は共通の負荷電流Ｉ＿Ｌに３つ全てのスイッチング素子の負荷電流が割り当てられる。この第３の駆動制御組み合わせでは、共通の負荷電流Ｉ＿Ｌが３つの負荷電流、すなわち第１、第２、第３のスイッチング素子Ｔ１，Ｔ２，Ｔ３の３つの負荷電流に分割される。これらの３つのスイッチング素子Ｔ１，Ｔ２，Ｔ３の構成が同一であるならば、第１、第２、及び第３の負荷電流Ｉ＿Ｌ１、Ｉ＿Ｌ２，Ｉ＿Ｌ３の絶対値は有利には同一に形成され、いずれにせよ前記第１及び第２の駆動制御組み合わせにおけるそれぞれのスイッチング素子のそれぞれの負荷電流よりも低い値になる。
【００４４】
ここに例示的に示したスイッチオンされたスイッチング素子とスイッチオフされたスイッチング素子の他にも、基本的にそれぞれ別のスイッチング素子のスイッチオン若しくはスイッチオフがなされてもよい。
【００４５】
複数のスイッチング素子の駆動制御組み合わせの相応の選択によってそれぞれの負荷電流を表すセンサ信号の値のレベルが変更できるようになる。付加的なスイッチング素子のスイッチオンによれば、それぞれのセンサ信号の値を低減でき、付加的なスイッチング素子のスイッチオフによれば、それぞれのセンサ信号の値を増加できる。それぞれのセンサ信号の値に対してそれぞれ１つの値範囲を設定してやれば、駆動制御組み合わせの変更によってそれぞれのセンサ信号の値を次のように制御することができる。すなわちそれらの値をその予め設定された値範囲内に存在させるように制御することができる。それによりそれぞれの駆動制御組み合わせは、スイッチオンされるスイッチング素子の所定の選択を表す。
【００４６】
この関係においては、所定の共通の負荷の負荷電流測定において、所定の測定領域が可及的に高い測定精度を伴って設定されることを述べておきたい。なぜなら少なくとも１つの所定の共通の負荷の最適な監視と過負荷に対する最適な保護ができるからである。例えば第１の駆動制御組み合わせのみを設定する場合には、それぞれのスイッチング素子の小さな電流負荷のもとで、そのつどのスイッチオンされるスイッチング素子に小さな負荷電流のみを流してやればよい。それに対して大きな電流負荷の場合には、例えばそのつどのスイッチオンされるスイッチング素子に大きな負荷電流が流される。それぞれの負荷電流のそのつどの監視は有利にはそのつどのセンサ信号を求めることによって行われる。このセンサ信号はそれぞれの負荷電流を表している。例えば第１の駆動制御組み合わせのみが所定の共通の負荷の駆動制御のために設定されるのであれば、スイッチオンされるスイッチング素子を用いて小さな電流負荷に割り当てられる電流と、大きな電流負荷に割り当てられる電流の生じ得る過負荷を監視しなければならない。共通の負荷を小規模な電流負荷と大規模な電流負荷のもとで正しく監視するために、実質的に得られるのは限られた測定精度の１つの測定領域のみである。但しこれでは少なくとも１つの共通の負荷Ｒ＿Ｌの正確な監視が実質的には保証されない。そこで図１にも示されているような、平行して駆動制御のできる複数のスイッチング素子の利用のもとで、少なくとも１つの共通の負荷の駆動の間の駆動制御組み合わせの変更によって、そのつどの所定の共通の負荷に対して適切な測定領域が得られるようになる。このことは、共通の負荷が異なって構成できる場合には特に有利となる。
【００４７】
いずれにせよ適切な値範囲は適切な測定精度でそれぞれのスイッチング素子に対して設定できるので、まずはそのつどの共通の負荷が高い信頼性のもとで識別されなければならない。
【００４８】
図２にはスイッチング素子の第１の駆動制御組み合わせが示されている。ここでは第１、第２及び第３の制御信号Ｓ＿ＩＮ１，Ｓ＿ＩＮ２，Ｓ＿ＩＮ３と第１のセンサ信号Ｓ＿ＦＢ１の時間経過が示されている。スイッチオンされたスイッチング素子として図２には例えば第１のスイッチング素子Ｔ１が示されている。この場合基本的には他のスイッチング素子も第１の駆動制御組み合わせのスイッチオンされたスイッチング素子として構成可能である。第１のセンサ信号Ｓ＿ＦＢ１の時間経過は、第１のスイッチング素子Ｔ１を通る第１の負荷電流Ｉ＿Ｌ１の経過を表している。ここでは第１の駆動制御組み合わせに応じて、第１のスイッチング素子Ｔ１のみがスイッチオンされている。それに対して第２及び第３のスイッチング素子Ｔ２，Ｔ３はスイッチオフされている。それにより第１のセンサ信号Ｓ＿ＦＢ１の経過は、実質的に、図２では例えば電球として構成されている所定の共通の負荷Ｒ＿Ｌを流れる共通の負荷電流Ｉ＿Ｌの経過を表している。
【００４９】
スイッチオン時点ｔ１では、第１のスイッチング素子Ｔ１が、第１の制御信号Ｓ＿ＩＮ１を用いてスイッチオンされる。第１のセンサ信号Ｓ＿ＦＢ１の経過は、時点ｔ１で開始された電球として構成された共通の負荷Ｒ＿Ｌのスイッチオン電流の経過を表している。他の共通の負荷Ｒ＿Ｌのもとでは第１のセンサ信号Ｓ＿ＦＢ１の経過が相応に変更されて経過し得る。
【００５０】
第１のセンサ信号Ｓ＿ＦＢ１の経過は、例えば予め設定された第１のセンサ信号Ｉ＿ＦＢ１に近付き、時点ｔ２からこの設定値に収まってゆく。
【００５１】
この場合第１のセンサ信号値Ｉ＿ＦＢ１は、第１のセンサ信号Ｓ＿ＦＢ１に関係しており、第１のセンサ信号値Ｉ＿ＦＢ１によって表される第１の負荷電流Ｉ＿Ｌ１の値は所定の係数分拡大される（例えば係数１０００）。
【００５２】
それぞれのセンサ信号に割当てられるスイッチオンされるセンサ信号の値範囲は、それぞれ下方のセンサ信号限界値と上方のセンサ信号限界値によって設定される。例えば第１のスイッチング素子Ｔ１に割当てられた値範囲は、第１の下方のセンサ信号限界値Ｉ＿Ｌ＿ＴＨ１と第１の上方のセンサ信号限界値Ｉ＿Ｈ＿ＴＨ１によって設定される。この下方と上方のセンサ信号限界値は、適切な測定精度を伴う測定範囲として構成されていてもよい。例えばそのつどのスイッチング素子に割当てられた値範囲は、実質的にスイッチング素子のセンサ信号領域を表し、その値範囲内ではそのつどの負荷電流の正確で確実な描写が保証される。
【００５３】
図２に示されているように、スイッチオン時点ｔ１後の第１のセンサ信号Ｓ＿ＦＢ１の経過は、絶対項的に見て第１の上方のセンサ信号限界値Ｉ＿Ｈ＿ＴＨ１を超えており、そのため第１のセンサ信号Ｓ＿ＦＢ１に割当てられた値範囲外に存在する。予め設定された値範囲の外では第１のセンサ信号Ｓ＿ＦＢ１の経過のそれぞれの値はアナログ／デジタル変換を用いて求められるが、いずれにせよ限られた測定精度でしかない。
【００５４】
図３では、第１のセンサ信号Ｓ＿ＦＢ１の経過のさらなる時系列描写と第１、第２、第３の制御信号Ｓ＿ＩＮ１，Ｓ＿ＩＮ２，Ｓ＿ＩＮ３の経過に基づいて、本発明による第１の実施例がスイッチオンされるスイッチング素子の相応の変化と共に示されている。第１のセンサ信号Ｓ＿ＦＢ１の時間経過は、第１の負荷電流Ｉ＿Ｌ１の経過を表している。共通の負荷Ｒ＿Ｌはここでも自動車の電球として構成されている。
【００５５】
スイッチオン時点ｔ１では、所定の共通の負荷Ｒ＿Ｌがまず、第３の駆動制御組み合わせを用いて、すなわち３つのスイッチング素子Ｔ１，Ｔ２，Ｔ３がまず最初にスイッチオンされる。それにより、それぞれのセンサ信号の値が次のように低減される。すなわちそれらがそれぞれ予め設定された値範囲内に存在するように低減される。図３に示されているように、スイッチオン時点ｔ１後の第１のセンサ信号Ｓ＿ＦＢ１の経過はそれに割当てられている値範囲内に収まるように存在している。第２及び第３のセンサ信号Ｓ＿ＦＢ２及びＳ＿ＦＢ３の経過は、第１のセンサ信号Ｓ＿ＦＢ１の経過に実質的に類似して形成される。
【００５６】
時点ｔ５では、絶対項において第１の下方のセンサ信号限界値Ｉ＿Ｈ＿ＴＨ１の下回りが可能であるので、時点ｔ５では、第３のスイッチング素子Ｔ３が第３の制御信号Ｓ＿ＩＮ３を用いてスイッチオフされる。これにより、スイッチオンされたスイッチング素子Ｔ１のセンサ信号の値が上昇して、第１の下方のセンサ信号限界値Ｉ＿Ｈ＿ＴＨ１の下回りは回避される。
【００５７】
時点ｔ６では、第１のセンサ信号Ｓ＿ＦＢ１の経過が第１の所定のセンサ信号値Ｉ＿ＦＢ１に収まっていく。この第１のセンサ信号値Ｉ＿ＦＢ１は、図３においては第１のセンサ信号Ｓ＿ＦＢ１の値範囲に割り当てられ、第１のセンサ信号Ｓ＿ＦＢ１の値を表している。この値は高い信頼性のもとで特に正確に求めることが可能である。
【００５８】
時点ｔ６からは、第１のセンサ信号Ｓ＿ＦＢ１の経過がアナログ／デジタル変換を用いて連続的及び／又は周期的に監視され得る。
【００５９】
第１のセンサ信号Ｓ＿ＦＢ１の経過は、時点ｔ５からはその予め定められた値範囲内に収まって存在するので、さらなるスイッチング素子、例えば第３のスイッチング素子Ｔ３のスイッチオンは、共通の負荷Ｒ＿Ｌの当該の駆動制御に対しては不要となる。
【００６０】
所定の共通の負荷Ｒ＿Ｌとしての電球の作動に対しては、図３によれば、センサ信号のそれぞれの値をその予め定められた値範囲に存在させるために、時間区分ｔ１〜ｔ５においてはスイッチング素子の第３の駆動制御組み合わせが必要であり、時点ｔ５からの時間区分においては第２の駆動制御組み合わせが必要である。
【００６１】
次に図４に基づいて、第１のセンサ信号Ｓ＿ＦＢ１の経過と第１、第２、第３の制御信号Ｓ＿ＩＮ１，Ｓ＿ＩＮ２，Ｓ＿ＩＮ３の経過のさらなる時系列描写を用いて本発明のさらなる実施例を説明する。
【００６２】
この図４においても図３に類似して時点ｔ５から、第３のスイッチング素子Ｔ３がスイッチオフされ、それに伴って第１の下方のセンサ信号限界値Ｉ＿Ｈ＿ＴＨ１の絶対項での下回りが回避される。第１及び第２のスイッチング素子Ｔ１，Ｔ２は、第２の駆動制御組み合わせに相応してさらにスイッチオンされる。
【００６３】
図３に類似して図４でも時点ｔ６から第１のセンサ信号Ｓ＿ＦＢ１の経過が第１の所定のセンサ信号値Ｉ＿ＦＢ１に収束している。
【００６４】
時点ｔ７からは第３の駆動制御組み合わせが処理装置ＥＵを用いて設定されており、それに伴って第３のスイッチング素子Ｔ３は、第３の制御信号Ｓ＿ＩＮ３を用いてスイッチオンされる。この時点ｔ７からは共通の負荷電流Ｉ＿Ｌが第１、第２及び第３の負荷電流Ｉ＿Ｌ１、Ｉ＿Ｌ２，Ｉ＿Ｌ３からの結果として生じている。それにより、第１の負荷電流Ｉ＿Ｌ１の値は絶対項的に見て低減し、第１のセンサ信号Ｓ＿ＦＢ１の値も低下する。第３の駆動制御組み合わせは次のような利点を有している。すなわち、それぞれの内部抵抗、例えばスイッチング素子Ｔ１，Ｔ２，Ｔ３を電気的に並列に接続させるそれぞれのスイッチのドレイン−ソース抵抗と最終的に生じる抵抗の値が、スイッチング素子Ｔ１，Ｔ２，Ｔ３の３つの内部抵抗の最小値よりも小さいことである。それにより回路装置の電力損失も低減され、これによって共通の負荷Ｒ＿Ｌの非常に効率的な動作が保証され得る。第１のセンサ信号Ｓ＿ＦＢ１のそれぞれの値の正確な検出に対しては第３の駆動制御組み合わせはいずれにせよ適さない。なぜなら第１のセンサ信号Ｓ＿ＦＢ１の経過は第１の下方のセンサ信号限界値Ｉ＿Ｌ＿ＴＨ１を絶対項的に見て下回り、それによって第１のセンサ信号Ｓ＿ＦＢ１の検出もこの時間区分内の限られた測定精度でしかできないからである。
【００６５】
時点ｔ８では第３のスイッチング素子Ｔ３がそれに割り当てられた第３の制御信号Ｓ＿ＩＮ３を用いて再びスイッチオフされ、それに伴って新たに第２の駆動制御組み合わせが設定される。時点ｔ９では新たに第３の駆動制御組み合わせが設定され、第３のスイッチング素子Ｔ３が再びスイッチオンされる。
【００６６】
時点ｔ８とｔ９の間の時間区分内では、第１のセンサ信号Ｓ＿ＦＢ１の値が新たに上昇し、その予め定められた第１の下方のセンサ信号限界値Ｉ＿Ｌ＿ＴＨ１と第１の上方のセンサ信号限界値Ｉ＿Ｈ＿ＴＨ１の間の値範囲内に収まる。この時間区分内では第１のセンサ信号Ｓ＿ＦＢ１が新たに適切な測定精度で求められ、所定の共通の負荷Ｒ＿Ｌが特に正確に監視される。
【００６７】
図４の第２及び第３の駆動制御組み合わせによる時系列的に入れ替わる駆動制御は、それぞれのセンサ信号の目下の値の検出が所定の時点でのみ必要となり、残りの時間区分に対してはそれぞれのセンサ信号の検出が不要である場合には特に有利となる。第２及び第３の駆動制御組み合わせによる時系列的に交互に入れ替わる駆動制御は、適切な測定精度のそれぞれのセンサ信号の正確な検出と共通の負荷Ｒ＿Ｌの電力損失の特に少ない駆動制御を有利に組み合わせる。特に有利には、このスイッチング素子の第２及び第３の駆動制御組み合わせによる交互に入れ替わる駆動制御が周期的に行われる。
【００６８】
電球として構成された所定の共通の負荷Ｒ＿Ｌは共通の負荷電流Ｉ＿Ｌの経過を有しており、この共通の負荷電流Ｉ＿Ｌの経過は図２において第１のセンサ信号Ｓ＿ＦＢ１の経過によって表されている。それぞれのセンサ信号のこの種の経過が求められるならば、共通の負荷Ｒ＿Ｌとして構成された電球をそれぞれのセンサ信号のこの種の経過に割当てることができる。それにより、それぞれのセンサ信号のこの種の経過が共通の負荷Ｒ＿Ｌとして構成された電球を表わすようになる。複数の電球が電気的に並列に接続されているならば、それぞれの経過は加算され、これらの複数の電球が共通の負荷Ｒ＿Ｌとしてさらに表わされるようになる。
【００６９】
共通の負荷Ｒ＿Ｌを特に確実にそして高い信頼性のもとで識別できるようにするためにはまず最初に、共通の負荷Ｒ＿Ｌを表わすそれぞれのセンサ信号の経過を求めて記憶することが必要になる。その場合特にセンサ信号のそれぞれの経過がその予め定められた値範囲内に存在し、それによってセンサ信号が特に正確に求められると非常に有利である。図３及び図４に基づいて説明してきたように、スイッチングオンの後で、それぞれのセンサ信号をその予め定められた値範囲に対応付けるためには、スイッチオンされるスイッチング素子の様々な駆動制御組み合わせが必要である。センサ信号の経過の他に有利にはスイッチオンされるスイッチング素子の少なくとも１つの選択が求められて記憶される。
【００７０】
それぞれのセンサ信号の経過の検出と記憶、及びそれに必要とされるスイッチング素子の駆動制御の組み合わせは、有利には処理装置ＥＵを用いて行われる。
【００７１】
次に図５に基づいて第１の駆動制御組み合わせの時系列の経過を説明する。この場合は例えば第１のスイッチング素子Ｔ１がスイッチオンされており、それに対して第２及び第３のスイッチング素子Ｔ２，Ｔ３はスイッチオフされている。第１のセンサ信号Ｓ＿ＦＢ１の経過は、図３及び図４のとの比較において、所定の共通の負荷Ｒ＿Ｌの共通の負荷電流Ｉ＿Ｌを表わしている。ここでの共通の負荷Ｒ＿Ｌは例えばキセノンランプとして構成されている。第１のセンサ信号Ｓ＿ＦＢ１の経過は、実質的に階段状に形成されている。
【００７２】
スイッチオン時点ｔ１では、共通の負荷電流Ｉ＿Ｌを表わす第１のセンサ信号Ｓ＿ＦＢ１が、理想的な形態で上昇している。この第１のセンサ信号Ｓ＿ＦＢ１の経過は時点ｔ１から始まり、キセノンランプとして構成されている共通の負荷Ｒ＿Ｌのスイッチオン電流の経過に相応している。
【００７３】
時点ｔ１０では、第１のセンサ信号Ｓ＿ＦＢ１の経過は再び上昇する。時点ｔ１１と時点ｔ１２では第１のセンサ信号Ｓ＿ＦＢ１は下降している。これは時点ｔ１２から、例えばキセノンランプの定格電流を表わす所定の値に収束させるためである。
【００７４】
第１のセンサ信号Ｓ＿ＦＢ１の経過の他に、図５においては第１の下方のセンサ信号限界値Ｉ＿Ｌ＿ＴＨ１と第１の上方のセンサ信号限界値Ｉ＿Ｈ＿ＴＨ１が示されている。この第１の下方のセンサ信号限界値Ｉ＿Ｌ＿ＴＨ１と第１の上方のセンサ信号限界値Ｉ＿Ｈ＿ＴＨ１は、第１のセンサ信号Ｓ＿ＦＢ１の予め設定される値範囲を表わしている。この予め設定される値範囲は、実質的に第１のセンサ信号Ｓ＿ＦＢ１の経過が絶対項的に見てそれを下回るか若しくは上回ることによって判断を行うためのものである。そのため第１のセンサ信号Ｓ＿ＦＢ１を求めることは限られた測定精度でしかできない。
【００７５】
それぞれのセンサ信号の正確な検出を可能にするために、キセノンランプとして構成された共通の負荷Ｒ＿Ｌに対しても、それぞれのセンサ信号をその予め設定された値範囲内に収めるための、スイッチオンされるスイッチング素子の少なく１つの選択が求められる。
【００７６】
図５には第１のセンサ信号Ｓ＿ＦＢ１と、第１、第２、及び第３の制御信号Ｓ＿ＩＮ１，Ｓ＿ＩＮ２，Ｓ＿ＩＮ３の時系列での経過が描写されている。
【００７７】
時点ｔ１では、まず最初に第１の駆動制御組み合わせが設定される。すなわちスイッチオンされた１つのスイッチング素子と、スイッチオフされた２つのスイッチング素子の組み合わせである。このスイッチオン時点ｔ１では例えば第１のスイッチング素子Ｔ１が第１の制御信号Ｓ＿ＩＮ１を用いてスイッチオンされ、第２及び第３のスイッチング素子Ｔ２，Ｔ３は、引き続きスイッチオフの状態を維持される。第１のセンサ信号Ｓ＿ＦＢ１は、理想的な形態で、第１のセンサ信号Ｓ＿ＦＢ１の正確で確実な検出が適切な測定精度で可能となる、予め設定された値範囲内にある所定の値まで上昇する。時点Ｔ１０では、第３の駆動制御組み合わせが設定される。すなわち、付加的に、第２及び第３のスイッチング素子Ｔ２，Ｔ３が第２及び第３の制御信号Ｓ＿ＩＮ２，Ｓ＿ＩＮ３を用いてスイッチオンされる。これにより共通の負荷電流Ｉ＿Ｌが第１、第２及び第３の負荷電流Ｉ＿Ｌ１，Ｉ＿Ｌ２，Ｉ＿Ｌ３に分割される。それと共に第１のセンサ信号Ｓ＿ＦＢ１の値は当該時間区分において沈静し、所定の値範囲内に収束する。
【００７８】
時点ｔ１１では、第２の駆動制御組み合わせが設定され、すなわち、第３のスイッチング素子Ｔ３が例えば制御信号Ｓ＿ＩＮ３を用いてスイッチオフされる。それにより、この時点ｔ１１からは第１及び第２のスイッチング素子Ｔ１，Ｔ２が引き続きスイッチオンされまま維持される。これにより第１のセンサ信号Ｓ＿ＦＢ１の値は引き続き所定の値範囲内に留まり、そのためここでも第１のセンサ信号Ｓ＿ＦＢ１の正確な検出が保証される。
【００７９】
時点ｔ１２では、第１の駆動制御組み合わせが設定され、すなわち、ここでは第２のスイッチング素子Ｔ２が例えば第２の制御信号Ｓ＿ＩＮ２を用いてスイッチオフされる。これにより第１のスイッチング素子Ｔ１のみがスイッチオン状態を維持される。この時点ｔ１２からは、共通の負荷電流Ｉ＿Ｌが収束し、第１のセンサ信号Ｓ＿ＦＢ１はこの時点ｔ１２において第１の負荷電流Ｉ＿Ｌ１を表わす。これは例えば共通の負荷Ｒ＿Ｌの定格電流を表わす。
【００８０】
それぞれのセンサ信号の経過の正確な検出とそれに割当てられた負荷電流の正確な検出を保証するために、時点ｔ１からｔ１０の間の時間区分においては第１の駆動制御組み合わせが必要となり、時点ｔ１０から時点ｔ１１の間の時間区分においては第３の駆動制御組み合わせが必要となり、時点ｔ１１から時点ｔ１２の間の時間区分においては第２の駆動制御組み合わせが必要となり、時点ｔ１２以降の時間区分においては新たに第１の駆動制御組み合わせが必要となる。
【００８１】
時点ｔ１と時点ｔ１２の間の時間区分における第１のセンサ信号Ｓ＿ＦＢ１の経過は、予め設定された値範囲内に収まっており、この経過はキセノンランプとして構成された共通の負荷Ｒ＿Ｌを代表するものである。
【００８２】
ここでも第１のセンサ信号Ｓ＿ＦＢ１の経過とそれに必要なスイッチオンされるスイッチング素子の駆動制御組み合わせが処理装置ＥＵを用いて求められて記憶される。
【００８３】
次に図７に基づいて共通の負荷電流Ｉ＿Ｌを表わすそれぞれのセンサ信号、例えば第１のセンサ信号Ｓ＿ＦＢ１の経過の求め方を説明する。ここでは処理装置ＥＵを用いて１つまたは複数の検出ステップが実行され、その中でそれぞれのセンサ信号の経過と、この経過に割当てられるスイッチオンされるスイッチング素子の駆動制御組み合わせとが求められて記憶される。
【００８４】
第１の検出ステップにおいては、スイッチオン時点ｔ１においてまず第３の駆動制御組み合わせが設定される。つまり、第１、第２、第３のスイッチング素子Ｔ１，Ｔ２，Ｔ３がこの時点ｔ１においてスイッチオンされる。処理装置ＥＵを用いて第１のセンサ信号Ｓ＿ＦＢ１の第１の値Ｖ１が、第１の下方のセンサ信号限界値Ｉ＿Ｌ＿ＴＨ１と比較される。その際には絶対項的に見て第１の下方のセンサ信号限界値Ｉ＿Ｌ＿ＴＨ１を下回っていることが検出される。この時間区分においては、第１のセンサ信号Ｓ＿ＦＢ１の値がその予め設定された値範囲内に存在していないので、当該の第１の検出ステップがここで終了され、全てのスイッチング素子が制御信号を用いてスイッチオフされる。最適化の目的で、基本的に第１の検出ステップを後続の時間区分に対して引き続き実行し続けることも可能である。このことは、後続の所定の時間区分内、例えば時点ｔ１０と時点ｔ１１の間の時間区分内において、それぞれのセンサ信号の値をその予め設定された値範囲内に収めるために、第３の駆動制御組み合わせが必要となった場合に特に有利となる。
【００８５】
第２の検出ステップにおいては、スイッチオン時点ｔ１では有利には第２の駆動制御組み合わせが設定される。それにより、例えば第１及び第２のスイッチング素子Ｔ１，Ｔ２がスイッチオンされ、第３のスイッチング素子Ｔ３はまずスイッチオフされた状態を維持する（第３の制御信号Ｓ＿ＩＮ３の波線表示参照）。この第２の駆動制御組み合わせでは、第１のセンサ信号Ｓ＿ＦＢ１の第２の値Ｖ２が対応付けられる（第１のセンサ信号Ｓ＿ＦＢ１の波線表示参照）。この第２の値Ｖ２も第１の下方のセンサ信号限界値Ｉ＿Ｌ＿ＴＨ１と比較される。改めてここでも絶対項的にみて第１の下方のセンサ信号限界値Ｉ＿Ｌ＿ＴＨ１の下回りが検出される。第２の駆動制御組み合わせを用いても第１のセンサ信号Ｓ＿ＦＢ１の値をその予め設定された値範囲内に収めることができなかったので、ここでも第２の検出ステップが有利には終了され、全てのスイッチング素子が制御信号を用いてスイッチオフされる。但し、ここでも最適化の目的に基づいて当該の第２の駆動制御組み合わせを後続の時間区分に対して引き続き継続させることも可能である。
【００８６】
第３の検出ステップにおいては、第１の駆動制御組み合わせが設定される。つまり第１のスイッチング素子Ｔ１がスイッチオンされ、第２及び第３のスイッチング素子Ｔ２，Ｔ３はスイッチオフされる（第２及び第３の制御信号Ｓ＿ＩＮ２，Ｓ＿ＩＮ３の波線表示参照）。この第１の駆動制御組み合わせには、第１の制御信号Ｓ＿ＦＢ１の第３の値Ｖ３（第１の制御信号Ｓ＿ＦＢ１の波線表示参照）が対応付けられる。この第３の値Ｖ３も処理装置ＥＵを用いて第１の下方のセンサ信号限界値Ｉ＿Ｌ＿ＴＨ１と比較される。さらに付加的にこの第３の値Ｖ３は、第１の上方のセンサ信号限界値Ｉ＿Ｈ＿ＴＨ１とも比較される。これは第１の上方のセンサ信号限界値Ｉ＿Ｈ＿ＴＨ１の生じ得る上回りを考慮（除外）するためである。前述の第１の駆動制御組み合わせを用いることによって、第１のセンサ信号Ｓ＿ＦＢ１の第３の値Ｖ３は、その予め設定された値範囲内に収束する。これにより、時点ｔ１と時点ｔ１０の間の時間区分内において適切な測定精度でのセンサ信号Ｓ＿ＦＢ１の検出が保証されるようになる。この時間区分には、スイッチング素子の第１の駆動制御組み合わせと、第１のセンサ信号Ｓ＿ＦＢ１の相応の経過が対応付けられて、処理装置ＥＵに記憶される。
【００８７】
第１のセンサ信号Ｓ＿ＦＢ１の値を、第１の駆動制御組み合わせを用いて、その予め設定された値範囲内に存在ないし収束させるために、第３の検出ステップが後続の時間区分に対して実行される。時点ｔ１と時点ｔ１０の間の第１の実行ステップに類似して、時点ｔ１０と時点ｔ１１の間の時間区分において、処理装置ＥＵを用いて新たにまずスイッチング素子の第３の駆動制御組み合わせが設定される。しかしながらここでも代替的に、既に実施されている第１の駆動制御組み合わせを継続的に維持することも可能である。第１のセンサ信号Ｓ＿ＦＢ１の値がその予め設定された値範囲内に存在しない場合には、第２の駆動制御組み合わせが設定され、さらにこの駆動制御組み合わせにおいても予め設定された値範囲内に収束しない場合には、最後の手段として第１の駆動制御組み合わせが設定される。
【００８８】
可能性のある全ての駆動制御組み合わせを適用した後でも、それぞれのセンサ信号の値がその予め設定された値範囲内に収束しない（存在しない）ときには、例えば既存数のスイッチング素子を用いた検出では限られた測定精度の検出しかできず、所定の共通の負荷Ｒ＿Ｌの作動を確実に保証することが不可能であることが見込まれる。代替的に、生じ得る可能性のある損害をできるだけ回避するために、所定の共通の負荷のさらなる駆動制御の中断も可能である。
【００８９】
有利にはそれぞれの時間区分に対してそれぞれのセンサ信号の経過の検出とそれぞれ割当てられる駆動制御組み合わせの検出が次のように行われてもよい。すなわちまず最初に第３の駆動制御組み合わせが実施され、その後で第２の駆動制御組み合わせが実施され、最後に第１の駆動制御組み合わせが実施されるように行われてもよい。また基本的に前記検出は次のように行われてもよい。すなわちまず最初に第１の駆動制御組み合わせが実施され、その後で第２の駆動制御組み合わせが実施され、最後に第３の駆動制御組み合わせが実施されるように行われてもよい。さらにまた２つの検出ストラテジが組み合わせられてもよい。しかしながら基本的にはその他の検出ストラテジも所要の駆動制御組み合わせの検出ないし算出のために考えられる。
【００９０】
考えられる駆動制御組み合わせの数は、３つよりも多いスイッチング素子の場合には相応に増加され、３つよりも少ないスイッチング素子の場合には相応に低減する。
【００９１】
３つよりも多いスイッチング素子を駆動制御する場合には、所要の駆動制御組み合わせの検出が次のように行われてもよい。すなわちまず最初に全てのスイッチング素子がスイッチオンされ、さらなる検出ステップにおいて、先行する駆動制御組み合わせが適していなかった場合に１つのスイッチング素子をスイッチオフするように行われてもよい。また代替的に最初において１つのスイッチング素子のみをスイッチオンし、さらなる所要の各検出ステップと共にそれぞれの時間区分に対してさらなるスイッチング素子をスイッチオンすることも可能である。
【００９２】
図７に基づいて示してきたそれぞれの駆動制御の組み合わせとその結果として生じたそれぞれのセンサ信号の経過の検出と記憶は、それぞれのセンサ信号の別の経過に基づいて類似的に実施されてもよい。例えば図３及び図４に示されているような電球を表わす第１のセンサ信号Ｓ＿ＦＢ１の値に基づいて実施されてもよい。
【００９３】
例えば未知の共通の負荷Ｒ＿Ｌがスイッチング素子Ｔ１，Ｔ２，Ｔ３に接続されている場合には、有利には、記憶されているそれぞれのセンサ信号の経過との比較を用いて共通の負荷Ｒ＿Ｌに対する推論が可能である。
【００９４】
次に、電球に対する駆動制御組み合わせとセンサ信号の経過、並びにキセノンランプに対する駆動制御組み合わせとセンサ信号の経過が処理装置ＥＵを用いて求められた記憶されていることを前提として、以下では図８に基づいて共通の負荷Ｒ＿Ｌの識別を詳細に説明する。
【００９５】
図８には第１のセンサ信号Ｓ＿ＦＢ１の記憶されている第１の経過Ｓ＿ＦＢ１＿１が描写されており、これはキセノンランプとして構成されている共通の負荷Ｒ＿Ｌを表わしている。さらに図８には第１のセンサ信号Ｓ＿ＦＢ１の記憶されている第２の経過Ｓ＿ＦＢ１＿２が描写されており、これは電球として構成されている共通の負荷Ｒ＿Ｌを表わしている。第１のセンサ信号Ｓ＿ＦＢ１の記憶されている第１の経過Ｓ＿ＦＢ１＿１と第２の経過Ｓ＿ＦＢ１＿２は、有利には処理装置ＥＵに記憶されている。
【００９６】
ここにおいてまだ未知の共通の負荷（図８には示されていない）がスイッチング素子に接続されると、スイッチオン時点ｔ１において例えば第３の駆動制御組み合わせが設定され、すなわち、第１、第２及び第３のスイッチング素子Ｔ１，Ｔ２，Ｔ３がスイッチオンされる。時点ｔ１３では、アナログ／デジタル変換を用いて例えば第１のセンサ信号Ｓ＿ＦＢ１の目下の値が求められる。この求められた第１のセンサ信号Ｓ＿ＦＢ１の値がその予め設定された値範囲内に存在する場合には、この値が処理装置ＥＵ内で第３の駆動制御組み合わせに対応付けられている、時点ｔ１３に対応付けられ記憶された経過の値と比較される。例えば第１のセンサ信号Ｓ＿ＦＢ１の求められた値は、時点ｔ１３に対応付けられた記憶されている経過Ｓ＿ＦＢ１＿１の値と比較される。なぜならこの時点ｔ１３に対する経過のみが第３の駆動制御組み合わせに割当てられているからである。第１のセンサ信号Ｓ＿ＦＢ１の求められた値が時点ｔ１３に対応付けられた第１の記憶されている経過Ｓ＿ＦＢ１＿１の値の範囲内に存在する場合には、有利には共通の負荷Ｒ＿Ｌが電球として構成されていることを前提とすることができる。
【００９７】
それに対して第１のセンサ信号Ｓ＿ＦＢ１の求められた値が、その対応付けられた値範囲内に存在していない場合には、共通の負荷Ｒ＿Ｌはキセノンランプとして構成されていることを前提とすることができる。なぜならその場合にだけ第３の駆動制御組み合わせによる駆動制御の間、センサ信号の値が所定の値範囲内に存在しないからである。基本的には、これとは別の、当業者には公知の共通の負荷のための他の識別ストラテジも考えられる。
【００９８】
電球として識別された共通の負荷Ｒ＿Ｌのさらなる作動においては、電球に対応付けられ記憶されている駆動制御組み合わせが実行され、それによって第１のセンサ信号Ｓ＿ＦＢ１の経過がその所定の値範囲内に存在し、適切な測定精度の第１のセンサ信号Ｓ＿ＦＢ１の検出が保証される。
【００９９】
特に共通の負荷Ｒ＿Ｌの検出を確実に保証できるようにするために、１つ又は複数のさらなる第１のセンサ信号の検出が例えば後続の時点ｔ１４において行われてもよい。例えば求められた値が、第１のセンサ信号Ｓ＿ＦＢ１の当該時点に対応付けられ記憶されている第２の記憶された経過Ｓ＿ＦＢ１＿２の値に一致している場合には、特に高い確実性でもって電球が共通の負荷Ｒ＿Ｌとして対応付けられる。
【０１００】
基本的にそれぞれの共通の負荷Ｒ＿Ｌの識別に対して、次のように実施されてもよい。すなわち、まず最後に駆動制御された共通の負荷Ｒ＿Ｌに割当てられている駆動制御組み合わせがスイッチオン時点ｔ１に関連付けられる。例えば最後の駆動制御期間においてキセノンランプが共通の負荷Ｒ＿Ｌとしてスイッチング素子を用いて駆動制御されていたならば、スイッチオン時点ｔ１においてスイッチオン時点ｔ１とキセノンランプに対応付けられている駆動制御組み合わせとの関連付けが行われる。
【０１０１】
基本的にはさらに、これまでに作動されていた共通の負荷Ｒ＿Ｌが定常的に求められてもよい。そしてその結果として生じる確率に依存して、目下の共通の負荷Ｒ＿Ｌをスイッチング素子と接続させて所定の駆動制御組み合わせを選択することも考えられる。
【０１０２】
所定の共通の負荷Ｒ＿Ｌとして１つ若しくは複数の負荷、例えば複数の電球若しくは複数のキセノンランプの利用の他に、異なる負荷を共通の負荷Ｒ＿Ｌとしてスイッチング素子と接続させることも考えられる。それによりこの共通の負荷Ｒ＿Ｌは、例えば少なくとも１つの電球と少なくとも１つのキセノンランプを有する。
【０１０３】
少なくとも１つの駆動制御組み合わせと、その結果として得られたそれぞれのセンサ信号の経過の検出と記憶の他に、少なくとも１つの駆動制御組み合わせと、それぞれのセンサ信号の経過を予め設定して処理装置内に既に記憶させておくことも可能である。それにより、少なくとも１つの駆動制御組み合わせとそれぞれのセンサ信号の経過の先行的な検出が不要となる。
【図１】
2011515935.tif 000003
【図２】
2011515935.tif 000004
【図３】
2011515935.tif 000005
【図４】
2011515935.tif 000006
【図５】
2011515935.tif 000007
【図６】
2011515935.tif 000008
【図７】
2011515935.tif 000009
【図８】
2011515935.tif 000010
【国際調査報告】
2011515935.tif 000011
2011515935.tif 000012
2011515935.tif 000013
2011515935.tif 000014
2011515935.tif 000015
2011515935.tif 000016